(57)【要約】【課題】  清掃や消毒を容易に行うことができ、噴霧される美容液などの汚れを低減させることのできる噴霧式美容器を提供すること。【解決手段】飲料水を電気分解した水素水を貯蔵するとともに振動素子２３により振動される多孔板４を備え供給される液体を霧化したミストを噴出する噴霧手段２０を有するタンク部１０と、振動素子２３を制御する制御部を有する本体部４０とを備えた噴霧式美容器１において、タンク部１０が本体部４０に対して着脱可能に設けられている。タンク部１０には水素を発生させることが可能な水素電極が備えられている。【選択図】図５
2019025196.tif 000002
【特許請求の範囲】
【請求項１】
水または美容液等を電気分解した水素水または水素美容液などの液体を貯蔵するとともに振動素子により振動される多孔板を備え供給される液体を霧化したミストを噴出する噴霧手段を有するタンク部と、前記前記振動素子を制御する制御部を有する本体部とを備えた噴霧式美容器であって、前記タンク部が前記本体部に対して着脱可能に設けられていることを特徴とする噴霧式美容器。
【請求項２】
前記液体が水であり、前記タンク部には水素を発生させることが可能な水素電極が備えられた請求項１に記載の噴霧式美容器。
【請求項３】
前記タンク部と前記本体部とは、スプリングピンからなる電極を介して着脱可能に連結されることを特徴とする請求項１又は請求項２に記載の噴霧式美容器。
【請求項４】
前記多孔板に至る液体の流路が、前記多孔板に向かって下り傾斜されていることを特徴とする請求項１から請求項３のいずれかに記載の噴霧式美容器。
【請求項５】
前記噴霧手段は、電源投入後、数回、断続的に噴霧を行い、噴霧手段に残存する残存液体を噴出させる事前噴射を行うことが可能な請求項１から請求項４のいずれかに記載の噴霧式美容器。
【発明の詳細な説明】
【技術分野】
【０００１】
本発明は、水または美容液等を電気分解した水素水または水素美容液を噴霧するための噴霧式美容器に関する。
【背景技術】
【０００２】
従来から、水または美容液などを霧化して微細なミストを生成し、このミストを使用者の肌に噴射する噴霧式美容器が例えば特許文献１に開示されている。噴霧式美容器から噴射された微細なミストに含まれる美肌成分により、肌の保湿や細胞組織の活性化などといった種々のスキンケアが行われる。
【０００３】
特許文献１に記載の噴霧式美容器は、美容液などを貯蔵する液体貯蔵部と、微細孔が多数形成された多孔板を備えたミストプレートとを有し、液体貯蔵部からミストプレートに美容液を供給するとともに振動素子によりミストプレートを振動させて、多孔板の微細孔からミストを噴射させるものである。
【先行技術文献】
【特許文献】
【０００４】
【特許文献１】特開２０１２−９０８６９号公報（図１〜３）
【発明の概要】
【発明が解決しようとする課題】
【０００５】
この種の噴霧式美容器では、噴霧される美容液の汚れなどを防止するために、液体貯蔵部内を定期的に清掃したり消毒する必要がある。ところが従来の噴霧式美容器では、本体内に振動素子を制御する制御部などを有しているために、水洗いなどの清掃を行うのに限界があり、また、消毒も困難なことが多かった。一方で、美容器全体の防水機能を高めようとすると、美容器が大型化し、その構造が複雑化するなどの支障があった。
【０００６】
本発明の目的は、前述した従来技術の課題を解決しようとするものであり、清掃や消毒を容易に行うことができ、噴霧される美容液などの汚れを低減させることのできる噴霧式美容器を提供することにある。
【課題を解決するための手段】
【０００７】
上記目的を達成するものは、以下のものである。
（１）水または美容液等を電気分解した水素水または水素美容液などの液体を貯蔵するとともに振動素子により振動される多孔板を備え供給される液体を霧化したミストを噴出する噴霧手段を有するタンク部と、前記振動素子を制御する制御部を有する本体部とを備えた噴霧式美容器であって、前記タンク部が前記本体部に対して着脱可能に設けられていることを特徴とする噴霧式美容器。
【０００８】
液体を貯蔵するタンク部を、制御部を有する本体部から着脱可能としたので、本体部からタンク部を分離させた状態で清掃などを行うことができる。制御部を備えないタンク部は、水洗いや消毒をより確実に行うことができるので、タンク部の汚れをより確実に防止することができる。一方で、噴霧式美容器の大型化やその構造の複雑化をもたらすことはない。
【０００９】
（２）前記液体が水であり、前記タンク部には水素を発生させることが可能な水素電極が備えられた（１）に記載の噴霧式美容器。
【００１０】
（３）前記タンク部と前記本体部とは、スプリングピンからなる電極を介して着脱可能に連結されることを特徴とする（１）又は（２）に記載の噴霧式美容器。
【００１１】
スプリングピンにより、タンク部の振動素子と、本体部の制御部とを接続可能とし、タンク部と本体部との着脱を容易かつ水密を確実にすることができる。
【００１２】
（４）前記多孔板に至る液体の流路が、前記多孔板に向かって下り傾斜されていることを特徴とする（１）から（３）のいずれかに記載の噴霧式美容器。
【００１３】
（５）前記噴霧手段は、電源投入後、数回、断続的に噴霧を行い、噴霧手段に残存する残存液体を噴出させる事前噴射を行うことが可能な（１）から（４）のいずれかに記載の噴霧式美容器。
【００１４】
本発明の噴霧式美容器では、液体を貯蔵するとともに振動素子により振動される多孔板を備え供給される液体を霧化したミストを噴出する噴霧手段を有するタンク部を、振動素子を制御する制御部を有する本体部に対して着脱可能に設けたので、タンク部の水洗いや消毒をより確実に行うことができ、噴霧式美容器全体を大型化したり構造を複雑化させることなく、タンク部の汚れをより確実に防止することができる。
【図面の簡単な説明】
【００１５】
【図１】図１は、本発明の実施例の噴霧式美容器の回路構成図である。
【図２】図２は、本発明の噴霧式美容器の正面側斜視図である。
【図３】図３は、図２の噴霧式美容器のスライドカバーを下した状態も示した正面側斜視図である。
【図４】図４は、図２の噴霧式美容器の背面側斜視図である。
【図５】図５は、図２の噴霧式美容器の分解斜視図である。
【図６】図６は、図２の噴霧式美容器の本体部の上端面の斜視図である。
【図７】図７は、図２の噴霧式美容器のタンク部の下端面の斜視図である。
【図８】図８は、図２の噴霧式美容器の多孔板に連なる流路の断面図である。
【発明を実施するための形態】
【００１６】
以下、本発明の噴霧式美容器について、図面に示した実施の形態を用いて説明する。図２から図４に示すように、本発明の噴霧式美容器１は、下方に向かってわずかに裾拡がりとなる変形四角柱状に設けられている。そして、図５に示すように、その上部がタンク部１０とされ、下部が本体部４０とされ、タンク部１０は本体部４０に対して着脱可能に設けられている。タンク部１０には、水素電極１４及び振動素子２３により振動される多孔板２４が備えられ供給される液体を霧化したミストを噴出する噴霧手段２０が設けられている、一方、本体部４０には、水素電極１４及び振動素子２３を制御する演算処理装置５２などの制御部が設けられている。
【００１７】
タンク部１０には、液体を貯蔵するための貯液部１２が備えられている。貯液部１２の上部には、貯液部１２に水などの液体を貯蔵するための蓋１３が取り付けられている。蓋１３と貯液部１２の間には、水漏れ防止のためのゴム１５が取り付けられている。貯液部１２内には、棒状の二本の水素電極１４が立設されている。この噴霧式美容器１では、貯液部１２内に水を貯蔵し、水素電極１４により水素を発生させて水素水を噴霧する。水素電極１４に直流プラス電圧を供給して水分子の電気分解を行う。
【００１８】
水素電極１４はチタン製であり表面には白金コーティングが施されている。各水素電極１４は直径が約２ｍｍとされており、二つの電極間の距離は約１ｍｍとされている。なお水素の効率的な発生のためには、水素電極１４の直径は２ｍｍ以下が望ましい。また水素電極１４間の距離は１ｍｍ以下が望ましい。電極１４間の距離を１ｍｍ以下とすることにより比較的低い電圧でも電気分解を容易に行うことができる。
【００１９】
貯液部１２の下方寄りの正面側には、貯液部１２内の水を後述する噴霧手段２０に供給するための供給孔１６が開口されている。図８に示すように、供給孔１６に至る流路１８は、その下流端の底面が、噴霧手段２０側（タンク部１０の正面側）に向けて下り傾斜に形成されている。このように構成することにより、貯液部１２内の水が貯液部１２内にできるだけ残存しないようにして、貯液部１２内の残存水による貯液の汚れを低減させることができる。
【００２０】
また、図５に示すように、貯液部１２の供給孔１６の正面側には、噴霧手段２０が取り付けられている。噴霧手段２０は、中央に多孔板３０が取り付けられた超音波振動素子ユニット２２と、この超音波振動素子ユニット２２が中央に取り付けられるとともに貯液部１２に固定される超音波振動素子キャップ２６を有している。超音波振動素子キャップ２６は、中央に円形の取付開口部２７が開口されたほぼ正方形の板状に形成されている。超音波振動素子ユニット２２は、この取付開口部２７に取り付けられている。超音波振動素子ユニット２２は周縁のドーナツ形状の振動素子２３と振動素子２３の中央に取り付けられた多孔板２４から構成されている。多孔板２４は、その中央に微細な孔が多数設けられており、振動素子２３が振動されることにより背面側から供給された水を正面側に向けて霧化して噴出させることができる。振動素子２３に形成された微細孔の直径は、本例では約７〜９μｍとされている。また、振動素子２３は、本例では毎秒１５．５万回振動させることができるものである。このような振動素子２３及び多孔板２４により、水粒子を数ナノサイズの極めて微細なものとすることでき、例えばメイクアップをされた状態でも利用者の肌に水分を容易に供給することができる。なお、振動回数は、例えば毎秒１４万回〜１７万回の範囲としても、水分を容易にかつ十分供給することができる。
【００２１】
噴霧手段２０の正面側にはカバー３０が取り付けられている。カバー３０には前述した多孔板２４の正面側に開口される噴霧孔３２が形成されており、多孔板２４から噴霧されるミストは、この噴霧孔３２から使用者に向けて噴出される。
【００２２】
また、カバー３０の上部には内側の青色ＬＥＤからの照射光を透過可能な透明のＬＥＤカバー３４が設けられている。本例では、このＬＥＤ照射光を併用することにより、水素水の肌への浸透をより向上させることができる。
【００２３】
ついで、本噴霧式美容器１の下部に備えられた本体部４０について説明する。前述の通り、タンク部１０は本体部４０に対して着脱自在に設けられている。本体部４０の上部寄り側面には、充電ケーブルを接続可能な充電端子（図示省略）が備えられた充電口４２が設けられ、この充電口４２には充電口カバー４３が取り付けられている。
【００２４】
本体部４０内には、スプリングピン４４と固定冶具５０と演算処理装置５２と充電池５６が備えられている。スプリングピン４４は本体部カバー４１の上部寄りに取り付けられており、スプリングピン固定冶具４６によって本体部カバー４１に固定されている。図６に示すように、本体部４０の上面からは４本のスプリングピン４４が突出されて、図７に示すタンク部１０の下面に設けられた４つのソケット１１に接続可能とされている。これらのスプリングピン４４とソケット１１により、本体部４０の演算処理装置５２とタンク部１０の水素電極１４、振動素子２３及び青色ＬＥＤが接続される。本体部カバー４１の正面中央の上部寄りには、電源のオン・オフを表示するための電源ＬＥＤが内蔵されており、電源ＬＥＤカバー４８がその正面側に取り付けられている。また、この電源ＬＥＤは、充電時の充電状態も表示し、充電時には点灯し、充電が完了した際には消灯する。
【００２５】
また、本体部カバー４１内には、固定冶具５０によって固定された演算処理装置５２が備えられている。図１に示すように、演算処理装置５２はピエゾ昇圧部５３を介して充電部５４さらに、充電池（バッテリー）５６に接続されている。また、充電部５４は充電口４２内に設けられた充電アダプター５７にも接続されており、外部電源に接続された際には、充電アダプター４７を介して充電池５６への充電を行うことが可能である。
【００２６】
ピエゾ昇圧部５３は演算処理装置５２で発生させた周波数の出力を増幅させる。そしてまた、ピエゾ共振部５８は振動素子２３が共鳴できるような最適な周波数を発生させて振動素子２３に伝える。また、演算処理装置５２は、水素発生部６０を介して前述した水素電極１４にそれぞれ接続されている。図５に示すように、前述の通り、本体部カバー４１内の下部には充電池５６が取り付けられている。
【００２７】
また、図２及び図３に示すように、本噴霧式美容器１には、スライドカバー２が取り付けられている。スライドカバー２は、図３に示すように、噴霧式美容器１の未使用時には下方に下げられており、この状態では噴霧手段２０の正面側を覆い隠すことができ、噴霧手段２０にほこりが付着しないようにするなど、噴霧手段２０の汚れを防止することができる。また、この状態では、電源がオフとなるように構成されている。
【００２８】
一方、図２に示すように、スライドカバー２を上方に引き上げると、噴霧手段２０が露呈されるとともに電源がオンになる。電源がオンになると、水素電極１４に通電されて約１０秒間、貯液部１２内に水素が発生される。また、この間において、多孔板２４に残存付着していた残余水を取り除くために、振動素子２３を数回振動させることができる。そして電源オンから１０秒後に、振動素子２３の振動を開始し、発生された水素が貯液部１２内の水に溶け込むことにより生成された水素水を噴霧手段２０からミスト状として噴霧させる。またこのとき同時に、正面側の青色ＬＥＤを発光させて、水素水の利用者の肌への浸透効果を高める。
【００２９】
前述の通り、タンク部１０と本体部４０とはそれぞれ別体に構成され、着脱自在に設けられており、例えばタンク部１０のみを煮沸消毒するなど、液体が流通する貯液部１２・噴霧手段２０の清掃又は消毒を演算処理装置５２などを有する本体部４０とは切り離して行うことができる。よって、本噴霧式美容器１の清掃・消毒をより確実に行うことができる。また、場所にかかわらず簡単に良質の水素の水分を供給することができ、簡便で携帯の利便性に富む。
【００３０】
本発明は、前述した実施の形態に限られるものではなく、本発明の趣旨の範囲内で適宜変更することが可能である。例えば、水素電極を除き、水素水以外の各種の美容液などを噴霧する噴霧式美容器とすることができる。照射用のＬＥＤは他の効果を目的として別の発光色のものとすることができる。
【産業上の利用可能性】
【００３１】
本発明は、手・腕・脚その他、使用者の肌に噴霧して美容効果をもたらす噴霧式美容器に広く利用することができる。
【符号の説明】
【００３２】
１；噴霧式美容器、２；スライドカバー、１０；タンク部、１１；ソケット、１２；貯液部、１３；蓋、１４；水素電極、１５；ゴム、１６；供給孔、１８；流路、２０；噴霧手段、２２；超音波振動素子ユニット、２３；振動素子、２４；多孔板、２６；超音波振動素子キャップ、２７；取付開口部、３０；カバー、３２；噴霧孔、３４；ＬＥＤカバー、４０；本体部、４１；本体部カバー、４２；充電口、４３；充電口カバー、４４；スプリングピン、４６；固定冶具、４８；電源ＬＥＤカバー、５０；固定冶具、５２；演算処理装置、５３；ピエゾ昇圧部、５４；充電部、５６；充電池、５７；充電アダプター、５８；ピエゾ共振部、６０；水素発生部。
【図１】
2019025196.tif 000003
【図２】
2019025196.tif 000004
【図３】
2019025196.tif 000005
【図４】
2019025196.tif 000006
【図５】
2019025196.tif 000007
【図６】
2019025196.tif 000008
【図７】
2019025196.tif 000009
【図８】
2019025196.tif 000010